【手続補正書】
【提出日】平成21年4月30日(2009.4.30)
【手続補正１】
【補正対象書類名】特許請求の範囲
【補正対象項目名】請求項６
【補正方法】変更
【補正の内容】
【請求項６】
前記パケットに関するインターレーシング構造を示すために、順方向リンク割当てメッセージ（ＦＬＡＭ）あるいは逆方向リンク割当てメッセージ（ＲＬＡＭ）に対して余分のビットを加えることをさらに具備する請求項１に記載の方法。
【手続補正２】
【補正対象書類名】特許請求の範囲
【補正対象項目名】請求項１６
【補正方法】変更
【補正の内容】
【請求項１６】
前記チャネル状態が中程度でありかつ前記データ速度が低速である場合は長い送信時間間隔がスケジューリングされる請求項１４に記載のスケジューラ。
【手続補正３】
【補正対象書類名】明細書
【補正対象項目名】００２０
【補正方法】変更
【補正の内容】
【００２０】
図２は、１つ以上の実施形態による多重接続無線通信システムを示す。有線ローカルエリアネットワーク（ＬＡＮ）と関連づけられた無線ローカルエリアネットワークを含むことができるシステム２００が示される。アクセスポイント１０２は、モバイルデバイス１０４と通信状態であることができる。アクセスポイント１０２は、ＬＡＮ用のイーサネット（登録商標）ハブ又はスイッチ２０２に接続される。イーサネットハブ２０２は、パーソナルコンピュータ、周辺装置（例えば、ファクス機、コピー機、プリンター、スキャナー等）、サーバー等を含むことができる１つ以上の電子デバイス２０４に接続することができる。イーサネットハブ２０２は、データパケットをモデム２０８に送信するルーター２０６に接続することができる。モデム２０８は、インターネット等のワイドエリアネットワーク（ＷＡＮ）２１０にデータパケットを送信することができる。システム２００は、単一の、単純なネットワーク構成を示す。代替の電子デバイスを含むシステム２００の数多くの追加の構成が可能である。システム２００は、ＬＡＮに関して示されて説明されているが、システム２００は、ワイヤレスワイドエリアネットワーク（ＷＷＡＮ）及び／又はワイヤレスパーソナルエリアネットワーク（ＷＰＡＮ）を含むその他の技術を別々に又は同時並行して利用することができる。
【手続補正４】
【補正対象書類名】明細書
【補正対象項目名】００３３
【補正方法】変更
【補正の内容】
【００３３】
幾つかの再送信実施形態においては、スケジューラ４０８は、特定のパケットに関するインターレーシング構造を示す余分のビットを順方向リンク割当てメッセージ（ＦＬＡＭ）又は逆方向リンク割当てメッセージ（ＲＬＡＭ）に加えることができる。ＬＡＭは、同じ組のホップポートをインデキシングするが、現在は、より大きな組の物理的フレームに適用される。さらに、スケジューラ４０８は、このＬＡＭが、特に以前に送信されているその他のＬＡＭが異なるインターレーシング構造を有する場合にこれらのその他のＬＡＭと衝突しないようにする。
【手続補正５】
【補正対象書類名】明細書
【補正対象項目名】００３９
【補正方法】変更
【補正の内容】
【００３９】
６０６において、アクセスポイント６０２は、順方向リンクにおいて、符号化された順方向リンクパケットを送信する。これは、ＴＴＩ１において示される継続時間を有する第１の短いＴＴＩを表す。アクセス端末６０４は、順方向リンクパケットを復号し、最後の順方向リンク送信又はハイブリッド自動再送要求（Ｈ−ＡＲＱ）再送信が成功裏に受信されたことを肯定応答するための逆方向リンク肯定応答を送信する。肯定応答は、ＡＣＫ／ＮＡＣＫプロトコルに関連する肯定応答技術であることができる。逆方向リンク肯定応答の復号及び送信は、ＴＴＩ  Ｂ、Ｃ、及びＤを表す６０８中に行われる。順方向リンクＡＣＫが復号され、６１０において表されるＴＴＩ５及び６中にアクセスポイント６０２によって後続する順方向リンク送信又はＨ−ＡＲＱ再送信の符号化が行われる。
【手続補正６】
【補正対象書類名】明細書
【補正対象項目名】００４０
【補正方法】変更
【補正の内容】
【００４０】
逆方向リンクにおいて、端末６０４は、６１２において表されるＴＴＩ  Ａ中に符号化された逆方向リンクパケットを送信する。６１４において、２、３、及び４のラベルが付けられたＴＴＩ中に、逆方向リンクパックが復号されて順方向リンク肯定応答が送信される。肯定応答は、最新の逆方向リンク送信又はＨ−ＡＲＱ再送信が成功裏に受信されたことを確認する。６１６において、順方向リンクＡＣＫが復号され、後続するＲＬ送信又はＨ−ＡＲＱ再送信が符号化される。
【手続補正７】
【補正対象書類名】明細書
【補正対象項目名】００４３
【補正方法】変更
【補正の内容】
【００４３】
順方向リンクにおいて、アクセスポイント７０２は、符号化された順方向リンクパケットを第１のＴＴＩ中に７０６において送信する。アクセス端末７０４は、順方向リンクパケットを復号し、７０８中に逆方向リンク肯定応答をさらに符号化及び送信する。肯定応答器は、最後の順方向リンク送信又はＨ−ＡＲＱ再送信が成功裏に受信されたことを通信するために利用される。肯定応答は、ＡＣＫ／ＮＡＣＫプロトコルに関連する肯定応答技術であることができる。示されるように、より長いＴＴＩを利用するシステムは、２つの物理（ＰＨＹ）フレームでＡＣＫを送信し、ＡＣＫに関する瞬時の電力要求時に節約することができる。７１０において、逆方向リンクＡＣＫが復号され、後続する順方向リンク送信又はＨ−ＡＲＱ再送信の符号化が行われる。幾つかの実施形態においては、順方向リンク送信中に、順方向リンクパケット送信前に又は実質的に同時にアクセスポイント７０２によってチャネル割り当てを発行して順方向リンクで送信することができる。
【手続補正８】
【補正対象書類名】明細書
【補正対象項目名】００４８
【補正方法】変更
【補正の内容】
【００４８】
ＣＤＭ制御チャネルは、代替インターレーシング構造を有するチャネルに割り当てられたトーンの一部をパンクチャリングすることができる。例えば、正規の６インターレース構造において、ＣＤＭ制御チャネルは、割り当てられないチャネル全体をパンクチャリングする。例えば、周波数分割二重（ＦＤＤ）に関して、フレーム０におけるＦＬＡＭは、フレーム０乃至５におけるデータ送信を意味する。肯定応答（ＡＣＫ）がＲＬにおいてフレーム８及び９で送信可能であり、これによりデータはフレーム１２乃至１７で送信される。
【手続補正９】
【補正対象書類名】明細書
【補正対象項目名】００６２
【補正方法】変更
【補正の内容】
【００６２】
図１１は、順方向リンクデータパケットを送信するための方法１１００の流れ図である。方法は１１０２において開始し、順方向リンクパケットがアクセスポイントによって符号化される。符号化されたパケットは、アクセス端末に送信される。１１０４において、アクセス端末は、順方向リンクパケットを受信し、パケットを復号する。パケットが成功裏に復号された場合は、アクセス端末は、順方向リンク送信（又はハイブリッド自動再送要求（Ｈ−ＡＲＱ）再送信）が成功裏に受信されたことを肯定応答するための逆方向リンク肯定応答（ＡＣＫ）を符号化する。１１０６において、ＡＣＫがアクセスポイントに送信される。１１０８において、逆方向リンクＡＣＫがアクセスポイントによって受信され、アクセスポイントは、逆方向リンクＡＣＫを復号する。１１１０において、アクセスポイントは、後続する順方向リンク送信（又はＨ−ＡＲＱ再送信）を符号化する。
【手続補正１０】
【補正対象書類名】図面
【補正対象項目名】図５
【補正方法】変更
【補正の内容】
【図５】
2009506679.tif 000001
【手続補正１１】
【補正対象書類名】図面
【補正対象項目名】図９
【補正方法】変更
【補正の内容】
【図９】
2009506679.tif 000002
【手続補正１２】
【補正対象書類名】図面
【補正対象項目名】図１１
【補正方法】変更
【補正の内容】
【図１１】
2009506679.tif 000003